(57)【要約】【課題】開かれた前面蓋体を内部に格納することができ、これによって積み重ねて使用する際に下段側で開かれた前面蓋体が上段側の前面蓋体の開閉動作に干渉するような不具合を確実に防ぐことができる収納用ケースを提供すること。【解決手段】箱形ケース２の前面開口部２ｂを塞ぐ前面蓋体４を備え、前面蓋体４を上下に回動することにより、箱形ケース２の前面開口部２ｂを開閉するようにした収納用ケース１において、前面蓋体４の側部を支持する枢支軸２０を箱形ケース２の内側面に設けるとともに、該枢支軸２０が差し込まれる軸差込部２１を前面蓋体４の側部に縦辺の長さ方向に沿って線状に延びるように設けて、前面開口部２ｂを塞いだ閉鎖位置と水平状態に開いた開放位置との間で枢支軸２０を支点に前面蓋体４を回動可能とするとともに、開放位置にある前面蓋体４を箱形ケース２内に押込可能とする。【選択図】図２
0003194958.tif 000002
【実用新案登録請求の範囲】
【請求項１】
箱形ケースの前面開口部を塞ぐ前面蓋体を備え、前面蓋体を上下に回動することにより、箱形ケースの前面開口部を開閉するようにした収納用ケースにおいて、前面蓋体の側部を支持する枢支軸を箱形ケースの内側面に設けるとともに、該枢支軸が差し込まれる軸差込部を前面蓋体の側部に縦辺の長さ方向に沿って延びるように設けて、前面開口部を塞いだ閉鎖位置と水平状態に開いた開放位置との間で枢支軸を支点に前面蓋体を回動可能とするとともに、開放位置にある前面蓋体を箱形ケース内に押込可能としたことを特徴とする収納用ケース。
【請求項２】
枢支軸の近傍から箱形ケースの奥に向かって水平に延びるように案内レール部を箱形ケースに設けて、箱形ケース内に押し込まれる前面蓋体を該案内レール部で案内支持するようにしたことを特徴とする請求項１記載の収納用ケース。
【考案の詳細な説明】
【技術分野】
【０００１】
本考案は、例えば、衣類や雑貨、小物などを収納するのに好適な収納用ケースに関し、特に、積み重ねて使用する際でも前面蓋体を開いて収納物を出し入れすることができるようにした収納用ケースに関するものである。
【背景技術】
【０００２】
従来、この種の収納用ケースとして、例えば、特許文献１にて提案されているものがある。
【先行技術文献】
【特許文献】
【０００３】
【特許文献１】特開２０１４−９４７６１号公報
【０００４】
図５に示されるように、上記特許文献１に係る収納用ケース１０１は、箱形ケース１０２の上面開口部１０２ａを塞ぐ上面蓋体１０３と、箱形ケース１０２の前面開口部１０２ｂを塞ぐ前面蓋体１０４とを備えている。
上面蓋体１０３と前面蓋体１０４とは、上面蓋体１０３に対し前面蓋体１０４が起伏回動自在に枢着・連結されており、上面蓋体１０３に対し前面蓋体１０４を起こすように回動させることにより、前面開口部１０２ｂを開放することができ、前面開口部１０２ｂを通して収納物の出し入れをすることができる。
【０００５】
また、収納用ケース１０１は、前面蓋体１０４の枢着側端部に一体成形された係止凸部（図示省略）と、上面蓋体１０３の枢着側端部に一体成形された係合凸部（図示省略）とよりなる保持手段１０５を備えており、上面蓋体１０３に対し前面蓋体１０４を起こすように回動して係止凸部が係合凸部を乗り越えると、係止凸部が係合凸部に係止されて、前面開口部１０２ｂを開放した状態に前面蓋体１０４が保持されるようになっている。
【０００６】
ところで、前面蓋体１０４は、上記の保持手段１０５により、水平面に対し約６０°程度の角度をなして斜め上方に傾斜状態で開いた位置に保持されるようになっている。
このため、収納用ケース１０１を積み重ねて使用する際に、下段側で開かれた前面蓋体１０４が上段側の前面蓋体１０４の開閉動作に干渉するという問題があった。
【考案の概要】
【考案が解決しようとする課題】
【０００７】
本考案は、上記従来の収納用ケースの有する問題点に鑑み、開かれた前面蓋体を内部に格納することができ、これによって積み重ねて使用する際に下段側で開かれた前面蓋体が上段側の前面蓋体の開閉動作に干渉するような不具合を確実に防ぐことができる収納用ケースを提供することを目的とする。
【課題を解決するための手段】
【０００８】
上記目的を達成するため、本考案の収納用ケースは、箱形ケースの前面開口部を塞ぐ前面蓋体を備え、前面蓋体を上下に回動することにより、箱形ケースの前面開口部を開閉するようにした収納用ケースにおいて、前面蓋体の側部を支持する枢支軸を箱形ケースの内側面に設けるとともに、該枢支軸が差し込まれる軸差込部を前面蓋体の側部に縦辺の長さ方向に沿って延びるように設けて、前面開口部を塞いだ閉鎖位置と水平状態に開いた開放位置との間で枢支軸を支点に前面蓋体を回動可能とするとともに、開放位置にある前面蓋体を箱形ケース内に押込可能としたことを特徴とする。
【０００９】
この場合において、枢支軸の近傍から箱形ケースの奥に向かって水平に延びるように案内レール部を箱形ケースに設けて、箱形ケース内に押し込まれる前面蓋体を該案内レール部で案内支持することができる。
【考案の効果】
【００１０】
本考案の収納用ケースによれば、前面蓋体の側部を支持する枢支軸が箱形ケースの内側面に設けられるとともに、該枢支軸が差し込まれる軸差込部が前面蓋体の側部に縦辺の長さ方向に沿って延びるように設けられることによって、前面開口部を塞いだ閉鎖位置と水平状態に開いた開放位置との間で枢支軸を支点に前面蓋体が回動可能とされるとともに、開放位置にある前面蓋体が箱形ケース内に押込可能とされるので、開かれた前面蓋体を収納用ケースの内部に格納することができる。
したがって、積み重ねて使用する際に下段側で開かれた前面蓋体が上段側の前面蓋体の開閉動作に干渉するような不具合を確実に防ぐことができる。
【００１１】
また、枢支軸の近傍から箱形ケースの奥に向かって水平に延びるように案内レール部を箱形ケースに設けて、箱形ケース内に押し込まれる前面蓋体を該案内レール部で案内支持することにより、前面蓋体の押込・引出動作をよりスムーズに行うことができる。
【図面の簡単な説明】
【００１２】
【図１】本考案の一実施形態に係る収納用ケースを示す全体斜視図で、前面蓋体が閉鎖位置にある状態図である。
【図２】同収納用ケースを示す全体斜視図で、前面蓋体が開放位置にある状態図である。
【図３】同収納用ケースの分解斜視図である。
【図４】同収納用ケースを積み重ねて使用する一態様例の説明図である。
【図５】従来の収納用ケースを積み重ねて使用する一態様例の説明図である。
【考案を実施するための形態】
【００１３】
次に、本考案の収納用ケースの実施の形態を、図面に基づいて説明する。
【００１４】
＜収納用ケースの概略説明＞
図１に示される収納用ケース１は、例えば、衣類や雑貨、小物などを収納するのに好適で、積み重ねて使用する際でも収納物を出し入れすることができるようにしたものであり、いずれも合成樹脂製の箱形ケース２、上面蓋体３及び前面蓋体４を備えている。
【００１５】
＜箱形ケースの説明＞
図３に示されるように、箱形ケース２は、四角形状の底板部１０を備え、この底板部１０に、左右の側板部１１及び後面板部１２がそれぞれ一体的に連設されて構成されている。
なお、底板部１０における接地面側の四隅には、キャスター１３が付設されており、収納用ケース１を容易に移動させることができる。
【００１６】
箱形ケース２は、その上部における左右の側板部１１と後面板部１２との間に上方に開放された上面開口部２ａを有している。
また、箱形ケース２において、前部を側面視でくの字状に前方へ突出する形状に成形するとともに、この前部の中間の最も前方へ突出している突出角部より上方側の後傾斜部位を開口形状に成形して左右の側板部１１の間に前方に開放された前面開口部２ｂを有するものとされている。
【００１７】
前面開口部２ｂには、比較的幅が狭い内向きのフランジ１４が形成されている。
フランジ１４は、前面開口部２ｂにおける左右両側縁の内側で上下方向に延び内向きに張り出す縦フランジ部１４ａと、前面開口部２ｂにおける下側縁の内側で左右方向に延び内向きに張り出す横フランジ部１４ｂとが一体的に連設してなるものである。
【００１８】
＜上面蓋体の説明＞
上面蓋体３は、箱形ケース２の上面開口部２ａを塞ぐものであって、全周縁部には、上方へ突出する断面コの字状のリブ縁１５が一体成形されて保形強度が高められているとともに、該リブ縁１５の下面側が上面開口部２ａの開口縁に締め代を持って嵌合可能な凹形状に形成されることで箱形ケース２に着脱自在に装着可能とされている。
上面蓋体３におけるリブ縁１５で囲まれた内側の凹部１６には、別体の収納用ケース１のキャスター１３を嵌めるようにして載せることができるようになっており、積み重ね使用時に下段側の収納用ケース１の上に上段側の収納用ケース１を安定的に載置することができるようにされている。
【００１９】
＜前面蓋体の説明＞
前面蓋体４は、箱形ケース２の前面開口部２ｂを塞ぐものであって、前面開口部２ｂを塞いだ閉鎖位置にあるときに前面開口部２ｂに設けられたフランジ１４に当接する形状寸法に形成されている。
前面蓋体４の全周縁部には、上面蓋体３と同様に、前方（図３においては上方）へ突出する断面コの字状のリブ縁１７が一体成形されて保形強度が高められている。
【００２０】
次に、前面蓋体４の開閉機構及び水平スライド機構についてそれぞれ順を追って以下に説明する。
【００２１】
＜前面蓋体の開閉機構の説明＞
箱形ケース２における左右の側板部１１のそれぞれの上辺部と前辺部との交わりの角部には、前面蓋体４の側部を支持する枢支軸２０が箱形ケース２の内側面となる板面に突設されている。
前面蓋体４の左右両側部には、枢支軸２０が差し込まれる軸差込部２１が設けられている。
軸差込部２１は、前面蓋体４の側部に縦辺の長さ方向に沿って一端部から他端部に亘って線状に延びるように本例では条溝を形成することで構成されるものである。
なお、軸差込部２１を、条溝に代えて長孔を形成することで構成しても同様の機能を達成することができる。
【００２２】
図２に示されるように、線状に延びる軸差込部２１の一端部に枢支軸２０が係合している状態において、前面蓋体４は、図１に示されるように、前面開口部２ｂに設けられたフランジ１４に当接して前面開口部２ｂを塞いだ閉鎖位置と、図２に示されるように、水平状態に開いた開放位置との間で枢支軸２０を支点に回動することができる。
【００２３】
なお、図２に示されるように、前面蓋体４の下側の横辺部には、係止凸部２２が設けられ、この係止凸部２２と係合可能な係合凹部２３が前面開口部２ｂにおける下側縁に設けられ、前面蓋体４を、図２に示される開放位置から図１に示される閉鎖位置に向けて回動操作し、係止凸部２２を係合凹部２３に係合させて係止することにより、前面蓋体４が前面開口部２ｂを閉じた閉鎖位置に保持されるようになっている。
【００２４】
＜前面蓋体の水平スライド機構の説明＞
図４に示されるように、枢支軸２０に対し前面蓋体４は、線状に延びる軸差込部２１の一端部から他端部に亘って水平方向に相対移動可能とされている。
これにより、前面蓋体４は、線状に延びる軸差込部２１の一端部と枢支軸２０とが係合して水平状態に開かれた開放位置（図４において中段の収納用ケース１を参照）と、線状に延びる軸差込部２１の他端部と枢支軸２０とが係合する押込位置（図４において最下段の収納用ケース１を参照）との間で水平移動可能とされており、開放位置にある前面蓋体４を箱形ケース２内に押し込んだり、押し込まれた前面蓋体４を開放位置へと引き出したりすることができる。
【００２５】
なお、前面蓋体４が開放位置から押込位置に到達するやや手前の位置（以下、「押込手前位置」と称する。）にある状態において、軸差込部２１における枢支軸２０に対応する部位（軸差込部２１の他端部寄りの部位）に、軸差込部２１から下方に開放されて枢支軸２０が通過可能な切欠き部２４が形成されており、この切欠き部２４と枢支軸２０との位置を合わせるように前面蓋体４を押込手前位置に移動させ、この押込手前位置で前面蓋体４を上方に引き上げれば（勿論このとき上面蓋体３は予め箱形ケース２から取り外されていることが前提である。）、箱形ケース２に対し前面蓋体４を容易に取り外すことができ、かかる取り外し手順の逆の手順を実施することにより、箱形ケース２に対し前面蓋体４を容易に取り付けることができる。
【００２６】
＜案内レール部の説明＞
箱形ケース２における左右の側板部１１には、枢支軸２０の近傍から箱形ケース２の奥に向かって水平に延びるように案内レール部２５が箱形ケース２の内側面となる板面に突設されており、前面蓋体４が開放位置から押込位置へと押し込まれる際や、押込位置から開放位置へと引き出される際に、前面蓋体４を該案内レール部２５で案内支持するようにされ、前面蓋体４の押込・引出動作をよりスムーズに行うことができるようにされている。
【００２７】
案内レール部２５は、箱形ケース２における前面開口部２ｂに設けられた縦フランジ部１４ａと連続するように配設されており、前面蓋体４が閉鎖位置から開放位置を経て押込位置へと押し込まれる際の縦フランジ部１４ａから案内レール部２５への移行や、押込位置から開放位置を経て閉鎖位置へと引き出される際の案内レール部２５から縦フランジ部１４ａへの移行をよりスムーズに行うことができるようにされている。
【００２８】
＜前面蓋体の開動作説明＞
以上に述べたような収納用ケース１において、閉鎖位置の前面蓋体４を開いてケース内に格納するまでの一連の動作について図４を用いて以下に説明する。
【００２９】
まず、係合凹部２３に対し係止凸部２２を引き下げるようにして、両者の係合を解除し、係合凹部２３から係止凸部２２を係脱した後、枢支軸２０を支点に前面蓋体４を上方に起こすように回動させて水平状態になるまで開き開放位置に位置させる（最上段と中段の収納用ケース１を参照）。
そして、前面蓋体４を箱形ケース２内の奥へと押し込み、押込位置へと移動させる（最下段の収納用ケース１を参照）。
こうして、開放位置にある前面蓋体４を箱形ケース２内に押し込んで収納用ケース１の内部に格納することができる。
これにより、前面開口部２ｂが大きく開放されるので、前面開口部２ｂを通して、衣類や雑貨、小物などの収納物の出し入れを容易に行うことができる。
【００３０】
＜前面蓋体の閉動作説明＞
上記の前面蓋体４の開動作の手順の逆の手順を実施することにより、押込位置にある前面蓋体４を引き出して前面開口部２ｂを閉じその閉状態を係止凸部２２と係合凹部２３とによって保持することができる。
【００３１】
＜積み重ね使用の説明＞
図４に示されるように、収納用ケース１における上面蓋体３の凹部１６に、別体の収納用ケース１のキャスター１３を引っ掛けるようにして順次積み重ねることにより、本例では３段に積み重ねて使用することができる。
かかる使用形態において、例えば、最下段の収納用ケース１における前面蓋体４は収納用ケース１の内部に格納されているので、中段の収納用ケース１での前面蓋体４の開閉動作に干渉するようことがなく、中段の前面蓋体４の開閉動作を支障なく行うことができる。
【００３２】
以上、本考案の収納用ケースについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００３３】
本考案の収納用ケースは、開かれた前面蓋体を内部に格納することができ、これによって積み重ねて使用する際に下段側で開かれた前面蓋体が上段側の前面蓋体の開閉動作に干渉するような不具合を確実に防ぐことができるという特性を有していることから、積み重ね使用時でも前面蓋体を開いて収納物を出し入れする収納用ケースの用途に好適に用いることができる。
【符号の説明】
【００３４】
１  収納用ケース
２  箱形ケース
２ａ  上面開口部
２ｂ  前面開口部
３  上面蓋体
４  前面蓋体
２０  枢支軸
２１  軸差込部
２５  案内レール部
【図１】
0003194958.tif 000003
【図２】
0003194958.tif 000004
【図３】
0003194958.tif 000005
【図４】
0003194958.tif 000006
【図５】
0003194958.tif 000007